(57)【要約】【課題】縦置き設置、横置き設置の選択が自由で、デザイン性が高いごみ収集ボックスを提供する。【解決手段】ボックス本体１３がカプセル形状で、扉１４，１４の開閉方向がボックス本体１３の周方向であるため、ボックス本体１３に開扉状態や閉扉状態を保持するストッパ構造を設けなくても、扉１４，１４の開閉を支障なく行うことができる。これにより、ごみ収集ボックス１０は縦置き設置、横置き設置の選択が自由となる。また、ボックス本体１３が、円筒形状の周壁１１の両端に半球形状の両端蓋１７，１７が一体形成されたカプセル形状であるので、高いデザイン性を得ることができる。【選択図】　　　　図１
2004059235.tif 000002
【特許請求の範囲】
【請求項１】
周壁にごみ出し入れ口が形成されたカプセル形状のボックス本体と、
前記ごみ出し入れ口を、前記ボックス本体の周方向に向かって開閉する扉と、前記ボックス本体を縦置き状態または横置き状態で支持するスタンドとを備えたごみ収集ボックス。
【請求項２】
前記ボックス本体が、透明または半透明の板材または網目状の板材からなる請求項１に記載のごみ収集ボックス。
【請求項３】
前記ボックス本体が、複数の部分パネルにより分割されている請求項１または請求項２に記載のごみ収集ボックス。
【請求項４】
前記縦置き時のボックス本体の下端部およびまたは前記横置き時のボックス本体の下端部には、該ボックス本体内の水を排出する排水口が形成され、
該排水口には、その排水を溜める排水貯溜部材が着脱自在に設けられる請求項１〜請求項３のうち、何れか１項に記載のごみ収集ボックス。
【請求項５】
前記扉の開閉角度が、前記ボックス本体の周方向に向かって９０度以上である請求項１〜請求項４のうち、何れか１項に記載のごみ収集ボックス。
【発明の詳細な説明】
【０００１】
【発明の属する技術分野】
この発明はごみ収集ボックス、詳しくはごみ集積所などに設置され、カラス、犬、猫などによるごみの食い荒らしを防止するカプセル形状のごみ収集ボックスに関する。
【０００２】
【従来の技術】
従来のごみ収集ボックスとして、例えば特開平６−１９９４０１号の「ごみ箱」が知られている。この従来品は、矩形状の箱本体の前面だけでなく、前面から上面にかけて大きなごみ出し入れ口が形成され、このごみ出し入れ口が、箱本体の横方向に摺動する扉により開閉自在となった構成を有している。
この従来品は、開扉時に扉が横方向に走行するので、箱本体の前面から上面に達する大きなごみ出し入れ口が確保される。これにより、ごみの出し入れ時に、箱本体の上板がごみの出し入れ作業の障害にならない。しかも、ごみ出し入れ口が大きいため、大型のごみでも出し入れがしやすい。
【０００３】
【発明が解決しようとする課題】
しかしながら、従来のごみ収集ボックスにあっては、以下の問題点があった。すなわち、（１）　箱本体が矩形状で、扉の開閉方向が箱本体の横方向であったため、ごみ収集ボックスは横置き状態だけでしか使用することができなかった。これにより、ごみ収集ボックスを設置する際に、スペース的な制約が大きかった。
（２）　また、箱本体が不透明な板材から構成されていた。そのため、扉が閉まっていれば、例えば子供がボックス内に隠れたり、不適切なごみが投棄されても、外部からは、それらを発見できなかった。
（３）　さらに、ボックス内の清掃時において、ごみから流れ出た汚水や使用後の洗浄水は、そのままごみ出し入れ口から外に垂れ流されていた。そのため、周辺環境が悪化していた。
【０００４】
【発明の目的】
すなわち、この発明は、縦置き設置または横置き設置を自由に選択することができ、高いデザイン性も得られるごみ収集ボックスを提供することを、その目的としている。
また、この発明は、ボックス内を外部から視認することができるごみ収集ボックスを提供することを、その目的としている。
さらに、この発明によれば、ボックスの保管時や運搬時に、コンパクトに収納することができるごみ収集ボックスを提供することを、その目的としている。
さらに、この発明は、汚水などの外部への垂れ流しによる周辺環境の悪化を防止することができるごみ収集ボックスを提供することを、その目的としている。さらにまた、この発明は、ごみ収集ボックスの横置き設置時において、ボックス本体に開扉状態や閉扉状態を保持するストッパ構造を特に設けなくても、扉の開閉状態を維持することができるごみ収集ボックスを提供することを、その目的としている。
【０００５】
【課題を解決するための手段】
請求項１に記載の発明は、周壁にごみ出し入れ口が形成されたカプセル形状のボックス本体と、前記ごみ出し入れ口を、前記ボックス本体の周方向に向かって開閉する扉と、前記ボックス本体を縦置き状態または横置き状態で支持するスタンドとを備えたごみ収集ボックスである。
ここでいうカプセル形状とは、ボックス本体が筒形状の周壁の両端に半球形状の両端部が配設された形状である。
ボックス本体の大きさおよび素材は限定されない。例えば、その素材については、アクリル、ポリエチレン，ポリプロピレン，ポリスチレン，ＡＢＳ，塩化ビニル樹脂などの各種のプラスチック、強化ガラスなどの各種のガラス、鉄，ステンレス，真鍮，硬質アルミニウムなどの各種の金属を採用することができる。また、杉，檜，楠木，桐などの単板または合板を採用することができる。その他、各種のセラミックスなどを採用することができる。
【０００６】
ごみ出し入れ口の大きさ、形状および形成数は限定されない。例えば、ごみ出し入れ口の形成数は１つでもよいし、２つ以上でもよい。
扉の素材も限定されない。例えば各種のプラスチック、各種の金属、各種の木、各種のセラミックスなどを採用することができる。
スタンドの大きさ、形状、使用個数などは限定されない。例えば、その使用個数は、１個でもよいし、２個以上でもよい。また、スタンドは、ボックス本体の縦置き用のスタンドと、横置き用のスタンドとを別体で設けてもよいし、縦置きおよび横置きの兼用スタンドとしてもよい。スタンドは、ボックス本体と一体的に設けてもよい。
【０００７】
請求項２に記載の発明は、前記ボックス本体が、透明または半透明の板材または網目状の板材からなる請求項１に記載のごみ収集ボックスである。
ボックス本体は透明でもよいし、半透明でもよい。その素材としては、例えばアクリルなどのプラスチック、ガラスなどを採用することができる。
網目状の板材としては、例えばプラスチック製または金属製の網状の板などを採用することができる。
【０００８】
請求項３に記載の発明は、前記ボックス本体が、複数の部分パネルにより分割されている請求項１または請求項２に記載のごみ収集ボックスである。
部分パネルは、ボックス本体をその軸線に平行な面内で縦割りして形成されたものでもよい。または、ボックス本体をその軸線に直交する面内で横割りして形成されたものでもよい。各部分パネルは同じ形状でもよいし、そうでなくてもよい。そして、各部分パネルは、同じ色でもよいし、異なる色でもよい。
隣接する部分パネルの連結方法は限定されない。例えば、各部分パネルの突き合わせ側の端部に嵌合部（凹部および凸部）を配設してもよい。またはボルト連結を採用してもよい。さらには、接着剤による接着でもよいし、溶接による接合などでもよい。
【０００９】
請求項４に記載の発明は、前記縦置き時のボックス本体の下端部およびまたは前記横置き時のボックス本体の下端部には、該ボックス本体内の水を排出する排水口が形成され、該排水口には、その排水を溜める排水貯溜部材が着脱自在に設けられる請求項１〜請求項３のうち、何れか１項に記載のごみ収集ボックスである。
排水口は、縦置き時のボックス本体の下端部だけに形成してもよいし、横置き時のボックス本体の下端部だけに形成してもよい。または、これらの２箇所にそれぞれ排水口を形成してもよい。
排水貯溜部材としては、例えばポリ袋などの遮水性を有する袋類のほか、バケツ、貯水槽などの遮水性を有する容器類を採用することができる。
【００１０】
請求項５に記載の発明は、前記扉の開閉角度が、前記ボックス本体の周方向に向かって９０度以上である請求項１〜請求項４のうち、何れか１項に記載のごみ収集ボックスである。
好ましい扉の開閉角度は、９０〜１８０度である。９０度未満ではごみ出し入れ口が狭くなってごみの出し入れがし難くなるともに、ごみ収集ボックスの横置き設置時において、扉の自重でその開口状態または閉口状態を維持できない場合が生じる。
【００１１】
【作用】
この発明によれば、スタンドを介して、ボックス本体を例えばごみ集積所に設置する。このとき、ボックス本体がカプセル形状で、扉の開閉方向がボックス本体の周方向である。そのため、このごみ収集ボックスは、縦置き状態で設置しても、横置き状態で設置しても使用することができる。すなわち、扉の開閉方向が周方向であることから、ごみ収集ボックスを縦置き設置した場合には、扉の開閉がボックス本体の軸線を中心とした水平面内での回転運動となる。一方、このボックスを横置き設置した場合には、扉の開閉がボックス本体の軸線を中心とした垂直面内での回動となる。
そして、ボックス本体が筒形状の周壁の両端に半球形状の両端部が一体形成されたカプセル形状を有しているので、高いデザイン性も得ることができる。
【００１２】
特に、請求項２の発明によれば、ボックス本体が、透明または半透明の板材または網目状の板材であるので、ボックス内を外部から視認することができる。すなわち、扉が閉まっていても、例えば子供がボックス内に隠れたり、不適切なごみを外部から発見することができる。
【００１３】
また、請求項３の発明によれば、ボックス本体は複数の部分パネルを組み立てることで作製される。これにより、ボックスの保管時や運搬時に、このボックスをコンパクトにすることができる。また、各部分パネルを異なる色にすれば、ボックス本体のデザイン性を高めることもできる。
【００１４】
さらに、請求項４の発明によれば、ボックス内に収納されたごみから流れ出た汚水や、清掃時に使用された洗浄水などは、ボックス本体の下端部に流れ落ち、排水口から排出される。そして、この排水は、排水口に連結された排水貯溜部材に溜める。これにより、排水の外部への垂れ流しによる周辺環境の悪化を防止することができる。
【００１５】
さらにまた、請求項５の発明によれば、扉の開閉角度をボックス本体の周方向に向かって９０度以上としたので、ごみ収集ボックスの横置き設置時において、ボックス本体に開扉状態や閉扉状態を保持するストッパ構造を特に設けなくても、扉の開閉状態を維持することができる。
横置き設置時、このように扉の開閉角度が９０度未満では、扉にストッパ構造を設けなければ、扉の自重でその開口状態または閉口状態を維持できない場合が生じる。すなわち、仮に横置き設置時のごみ出し入れ口の下端をボックス本体の真横（軸線を含む水平面が周壁と交差する位置）とし、開扉方向が上側である扉の開口時には、扉の開閉角度が９０度未満（例えば３０度、４５度）と小さければ、押し上げられた扉が自重で閉扉しやすい。また、閉扉方向が上側である扉の場合には、扉の閉口時に押し上げられた扉が自重で開扉しやすい。
カプセル形状のごみ収集ボックスにあっては、ボックス本体のごみ出し入れ口の下端は、ボックス本体の真横が最も下方と考えられる。なぜなら、これより下方であれば、開口時にごみ出し入れ口からごみが零れやすいためである。このように、縦置きと横置きとが選択できるカプセル形状のごみ収集ボックスにあっては、扉の開閉角度が９０度以上という構成も重要なポイントとなる。
【００１６】
【発明の実施の形態】
以下、図面に基づき、この発明の実施例に係るごみ収集ボックスを説明する。まず、図１〜図８を参照して一実施例を説明する。
図１は、この発明の一実施例に係る縦置き状態のごみ収集ボックスを示す正面図である。図２は、この発明の一実施例に係る縦置き状態のごみ収集ボックスを示す平面図である。図３は、この発明の一実施例に係るごみ収集ボックスの縦置き設置状態を示す側面図である。図４は、この発明の一実施例に係るごみ収集ボックスの縦置き設置状態を示す一部縦断面図である。図５は、この発明の一実施例に係るごみ収集ボックスの扉部分の縦拡大断面図である。図６は、この発明の一実施例に係るごみ収集ボックスの下端部における横断面図である。図７は、この発明の一実施例に係るごみ収集ボックスの横置き設置状態を示す正面図である。図８は、この発明の一実施例に係るごみ収集ボックスの横置き設置状態を示す縦断面図である。
【００１７】
図１において、１０はこの発明の一実施例に係るごみ収集ボックスであり、このごみ収集ボックス１０は、周壁１１にごみ出し入れ口１２が形成されたカプセル形状のボックス本体１３と、このごみ出し入れ口１２をボックス本体１３の周方向に向かって開閉する扉１４と、ボックス本体１３を縦置き状態または横置き状態で支持するスタンド１５とを備えている。
周壁１１は、円筒形状を有する透明なプラスチック製で、この周壁１１の両端の開口部を、１対の略半球形状を有する半透明なプラスチック製の端蓋１７，１７により塞いでいる。周壁１１の両端部は、対応する端蓋１７，１７の開口部の端面に周設された環状溝に嵌め込まれ、さらに接着剤により接着されている。
【００１８】
ごみ出し入れ口１２は、周壁１１の長さ方向の両側部に２つ並設されている。各ごみ出し入れ口１２，１２は、周壁１１の周方向に向かって９０度の領域に形成されている。各ごみ出し入れ口１２，１２の周縁部には、対応する扉１４，１４を周壁１１の周方向に向かって摺動させる摺動枠１２ａ，１２ａがそれぞれ形成されている。各摺動枠１２ａ，１２ａは、合成樹脂またはステンレス製の断面コの字形を有するレールである。各扉１４，１４は、透明な合成樹脂製である。各摺動枠１２ａ，１２ａは、開扉時に各扉１４，１４が対応するごみ出し入れ口１２，１２の側方に退避できるように、周壁１１の周方向に向かって略１８０度の領域に形成されている。各扉１４，１４の一端部には、開閉時の握り部となる把手１４ａ，１４ａがそれぞれ取り付けられている。
【００１９】
縦置き設置時の周壁１１の下端部の内周面には、周方向に向かって９０度間隔で４つの鍔片１６ａ…が突設されている。各鍔片１６ａ…上には、２枚の半円形を有するごみ受け部分板３０，３０が突き合わせ状態で載置されている。これらのごみ受け部分板３０，３０から、平面視して円形状のごみ受け板３０Ａが構成される。各ごみ受け部分板３０，３０には、多数個の小径な水抜け孔３０ａ…が、ごみ受け板３０Ａの中心部を中心にした４５度の放射線上に一定ピッチで配設されている。
縦置き設置時の下側の端蓋１７には、その中央部に外方向に向かって排水部１７ａが突設されている。この排水部１７ａの先端部には、排水を溜めるポリ袋（排水貯溜部材）Ｐが、クリップ３１を介して着脱自在に装着されている。
前記スタンド１５は、平面視して正方形の底板１８と、この底板１８の中心部を中心にして４５度間隔で放射状に立設された合計８枚の支持羽根１９…とを有している。各支持羽根１９…の上端部には、縦置き設置時の下側の端蓋１７を載置可能なように、円弧形状の切欠部１９ａ…がそれぞれ形成される。ボックス本体１３とスタンド１５とは、複数数のボルト締結構造１５ａ…を介して連結されている。
【００２０】
図７および図８に示すように、このボックス本体１３は、横置き状態で設置することも可能である。この場合には、縦置き用のスタンド１５に代えて、離間配置される１対の横置き用のスタンド１５Ａ，１５Ａが用いられる。各スタンド１５Ａ，１５Ａは、平面視して矩形状の底板１８Ａ，１８Ａと、各底板１８Ａ，１８Ａの上面に立設された周壁１１を受ける４枚の支持羽根１９Ａ…が、周方向に向かって９０度間隔で放射状に配置されている。支持羽根１９Ａ…は、２枚ずつ隣り合うもの同士で長さが異なっている。これらの支持羽根１９Ａ…の上端部には、円弧形状の胴受け板１９Ｂがかけ渡されている。なお、横置き設置における周壁１１の下端部の長さ方向の中間部には、前記ポリ袋Ｐが着脱自在に装着される排水部１７ａを突設してもよい。
【００２１】
次に、このごみ収集ボックス１０の使用方法を説明する。
図１〜図６に示すように、縦置き設置時には、ボルト締結構造１５ａを介して、スタンド１５の上に軸線を垂直に向けてボックス本体１３を立設する。ごみを投入する際には、上下配置された扉１４，１４の何れかを、摺動枠１２ａ，１２ａに沿ってボックス本体１３の周方向に摺動させて開口し、対応するごみ出し入れ口１２，１２を開き、その開口されたごみ出し入れ口１２を通してごみを投入する。例えば、外部から透明な扉１４，１４およびボックス本体１３を通してボックス内のごみ量を確認し、ごみの投入量が少ない場合には、下側の扉１４からごみを投入する。一方、ごみの投入量が多い場合には、上側の扉１４を開いてごみを投入する。ごみを回収する際には、例えば下側の扉１４を開き、開口された下側のごみ出し入れ口１２を通して、ボックス本体１３の内部からごみを取り出す。
【００２２】
ボックス内の清掃時には、例えば両扉１４，１４を開いて、ボックス本体１３内を水洗いする。そのとき、ごみから流れ出た汚水および洗浄後の排水は、ごみ受け板３０Ａの水抜け孔３０ａ…を介して、下側の端蓋１７に落下する。その後、排水部１７ａの排水口１７ｂを介して、ポリ袋Ｐに溜められる。袋内がいっぱいになったなら、クリップ３１を外して、ポリ袋Ｐを排水部１７ａから抜き取って回収する。
横置き設置時には、図７および図８に示すように、１対の離間配置されたスタンド１５Ａ，１５Ａ上に、軸線を水平に向けてボックス本体１３を載置する。ごみの出し入れ時には、左右の扉１４，１４の何れかを摺動枠１２ａ，１２ａに沿ってボックス本体１３の周方向に摺動させて開口する。清掃時には、汚水および洗浄後の排水が排水部１７ａを通してポリ袋Ｐに回収される。
【００２３】
このように、ボックス本体１３がカプセル形状で、扉１４，１４の開閉方向をボックス本体１３の周方向としたので、ごみ収集ボックス１０を縦置き状態でも横置き状態でも設置することができる。すなわち、扉１４，１４の開閉方向が周方向であるということは、縦置き設置時には、扉１４，１４の開閉がボックス本体１３の軸線を中心とした水平面内での回動となり、一方、横置き設置時には、扉１４，１４の開閉がボックス本体１３の軸線を中心とした垂直面内での回動となる。そのため、とりわけボックス本体１３に開扉状態や閉扉状態を保持するストッパ構造を設けなくても、扉１４，１４の開閉を支障なく行うことができる。
【００２４】
そして、ボックス本体１３が円筒形状の周壁１１の両端に半球形状の両端蓋１７，１７が一体形成されたカプセル形状を有しているので、高いデザイン性が得られる。
また、ボックス本体１３が、透明な周壁１１と半透明な両端蓋１７，１７の板材であるので、ボックス内を外部から視認することができる。すなわち、扉１４，１４が閉まっても、例えば子供がボックス内に隠れたり、不適切なごみを外部から発見することができる。
さらに、扉１４，１４の開閉角度をボックス本体１３の周方向に向かって略９０度としたので、ごみ収集ボックス１０の横置き設置時において、ボックス本体１３に開扉状態や閉扉状態を保持するストッパ構造を特に設けなくても、扉１４，１４の開閉状態を維持することができる。
【００２５】
なお、図９に示すように、透明な合成樹脂製の扉１４，１４に代えて、パンチングメタル製の通気性の良い扉（網目状の板材）１４Ａ，１４Ａに変更してもよい。また、ボックス２０内の通気性を高めるため、ボックス本体１３のごみ出し入れ口１２，１２間を長くし、パンチングメタル３２を配置してもよい。
また、図１０に示すように、円筒形状の周壁１１に代えて、八角筒状を有する周壁１１Ａとしてもよい。しかも、この周壁１１Ａを、ボックス本体１３の軸線に沿って縦割りした２枚の部分パネル１１ａ，１１ｂからなる組み立て式としてもよい。両部分パネル１１ａ，１１ｂの突き合わせ面には、凹凸嵌合構造が設けられている。両部分パネル１１ａ，１１ｂの結合には、接着剤を使用して結合を強化してもよい。
【００２６】
このように、ボックス本体１３を複数の部分パネル１１ａ，１１ｂによる組み立て式としたので、ごみ収集ボックス１０の保管時や運搬時にコンパクトに収納することができる。
さらにまた、図１１に示すように周壁１１Ｂを、ボックス本体１３の軸線に沿って縦割りした４枚の部分パネル１１ｃ〜１１ｆにより構成してもよい。この場合、例えば対向配置された部分パネル１１ｃ，１１ｅを透明とし、残りの部分パネル１１ｄ，１１ｆをブロンズ色の半透明とすれば、ボックス本体１３のデザイン性をさらに高めることができる。
そして、図１２に示すように、周壁１１に絵や模様が描かれた樹脂フィルム４０を巻き付けてもよい。
【００２７】
【発明の効果】
この発明によれば、ボックス本体がカプセル形状で、扉の開閉方向がボックス本体の周方向であるので、ごみ収集ボックスを縦置き状態で設置しても、横置き状態で設置しても、支障なく扉を開閉して使用することができる。
また、ボックス本体がカプセル形状を有しているので、高いデザイン性も得ることができる。
【００２８】
特に、請求項２の発明によれば、ボックス本体を、透明または半透明の板材または網目状の板材としたので、ボックス内を外部から視認することができ、これにより扉が閉じても、例えば子供がボックス内に隠れたり、不適切なごみが投棄されているのを外部から発見することができる。
【００２９】
また、請求項３の発明によれば、ボックス本体を複数の部分パネルに分割したので、ボックスの保管時や運搬時に、このボックスを分解してコンパクトにすることができる。また、各部分パネルを異なる色にすれば、ボックス本体のデザイン性を高めることができる。
【００３０】
さらに、請求項４の発明によれば、縦置き時およびまたは横置き時のボックス本体の下端部に排水口を形成し、この排水口に排水貯溜部材を着脱自在に取り付けるようにしたので、排水のボックス外部への垂れ流しによる周辺環境の悪化を防止することができる。
【００３１】
さらにまた、請求項５の発明によれば、扉の開閉角度をボックス本体の周方向に向かって９０度以上としたので、ごみ収集ボックスの横置き設置時において、ボックス本体に開扉状態や閉扉状態を保持するストッパ構造を特に設けなくても、扉の開閉状態を維持することができる。
【図面の簡単な説明】
【図１】この発明の一実施例に係る縦置き状態のごみ収集ボックスを示す正面図である。
【図２】この発明の一実施例に係る縦置き状態のごみ収集ボックスを示す平面図である。
【図３】この発明の一実施例に係るごみ収集ボックスの縦置き設置状態を示す側面図である。
【図４】この発明の一実施例に係るごみ収集ボックスの縦置き設置状態を示す一部縦断面図である。
【図５】この発明の一実施例に係るごみ収集ボックスの扉部分の縦拡大断面図である。
【図６】この発明の一実施例に係るごみ収集ボックスの下端部における横断面図である。
【図７】この発明の一実施例に係るごみ収集ボックスの横置き設置状態を示す正面図である。
【図８】この発明の一実施例に係るごみ収集ボックスの横置き設置状態を示す縦断面図である。
【図９】この発明の他の実施形態に係るごみ収集ボックスの一部を構成するボックス本体の正面図である。
【図１０】この発明の別の実施形態に係るごみ収集ボックスの一部を構成する２分割された八角円筒形状を有するボックス本体の拡大断面図である。
【図１１】この発明のまた別の実施形態に係るごみ収集ボックスの一部を構成する４分割されたボックス本体の拡大断面図である。
【図１２】この発明のさらに別の実施形態に係るごみ収集ボックスに巻回される樹脂フィルムの一部を示す拡大斜視図である。
【符号の説明】
１０　ごみ収集ボックス、
１１　周壁、
１１ａ〜１１ｆ　部分パネル、
１２　ごみ出し入れ口、
１３　ボックス本体、
１４　扉、
１５，１５Ａ　スタンド、
１７ｂ　排水口、
Ｐ　ポリ袋（排水貯溜部材）。
【図１】
2004059235.tif 000003
【図２】
2004059235.tif 000004
【図３】
2004059235.tif 000005
【図４】
2004059235.tif 000006
【図５】
2004059235.tif 000007
【図６】
2004059235.tif 000008
【図７】
2004059235.tif 000009
【図８】
2004059235.tif 000010
【図９】
2004059235.tif 000011
【図１０】
2004059235.tif 000012
【図１１】
2004059235.tif 000013
【図１２】
2004059235.tif 000014